(57)【要約】下着のためのファスナタブアセンブリであって、おおよそ台形の材料片から形成されるタブを含み、その両縁は、縫い目のない囲まれた側を与え、したがって着用者の体と接触したときに刺激を避ける傾向を有するように、内側に折り曲げられ、ともに接合される。タブの表面のフィラメント状のファスナ材料片は、下着上で相補的なフィラメント状のファスナ材料片と結合するように適合される。
2006515793.tif 000002
【特許請求の範囲】
【請求項１】
下着のためのファスナタブアセンブリであって、
着用者の体に接触したときに刺激を避ける傾向の縫い目のない囲まれた側を与えるように、その両縁が内側に折り曲げられ接合されたおおよそ台形の材料片を含むタブと、
前記下着上で相補的なフィラメント状のファスナ材料片と結合するように適合された前記タブの表面のフィラメント状のファスナ材料片とを含む、ファスナタブアセンブリ。
【請求項２】
前記フィラメント状のファスナ材料片は、その接合された側縁を少なくとも部分的に覆うように前記タブの表面に置かれる、請求項１に記載のファスナタブアセンブリ。
【請求項３】
折り曲げられた台形の材料片の先端は、縫い目のない囲まれた上縁を与えるように下方に折り曲げられる、請求項１に記載のファスナタブアセンブリ。
【請求項４】
前記フィラメント状のファスナ材料片は、その縫い目のない上縁および接合された側縁を少なくとも部分的に覆うように前記タブの表面に置かれる、請求項３に記載のファスナタブアセンブリ。
【請求項５】
接合された縁はオーバーロックステッチによって接合される、請求項１に記載のファスナタブアセンブリ。
【請求項６】
前記下着への付属物のためのおおよそ台形の相補的なフィラメント状のファスナ材料片を含み、前記相補的なフィラメント状のファスナ材料片の基部は前記タブの基部に固定されている、請求項１に記載のファスナタブアセンブリ。
【請求項７】
前記タブおよび相補的なフィラメント状のファスナ材料片の基部は、前記タブおよびフィラメント状のファスナ材料片が互いへと自然に閉じる傾向を有するように、前記タブおよびおおよそ合同な相補的なフィラメント状のファスナ材料片とともに縫われる、請求項６に記載のファスナタブアセンブリ。
【請求項８】
下着のためのファスナタブアセンブリを作る方法であって、
着用者の体に接触したときに刺激を避ける傾向の縫い目のない囲まれた側を与えるように、おおよそ台形の材料片の両側を内側に折り曲げてタブを形成するステップと、
内側に折り曲げられた側を材料の表面で接合するステップと、
接合された側の少なくとも一部分をフィラメント状のファスナ材料片で覆うステップとを含む、方法。
【請求項９】
前記台形の材料片の先端を下方に折り曲げるステップを含み、
フィラメント状のファスナ材料片は、前記台形の材料片の前記接合された側および下方に折り曲げられた先端の少なくとも一部分を覆うように位置付けられる、請求項８に記載の方法。
【請求項１０】
前記台形の材料片および一般的に台形の相補的なフィラメント状のファスナ材料片の基部は、２つの片が互いへと自然に閉じる傾向を有するように、おおよそ合同な２つの片とともに縫われる、請求項８に記載の方法。
【発明の詳細な説明】
【技術分野】
【０００１】
発明の分野
この発明の主題は、一般に保護下着に関し、特に、漏れを防ぎかつ封じ込めを改善する構造のような業界にとって重要とみなされる再使用可能な下着への改善、体への下着の固定を向上する新しい工夫、および新生児ならびにその回復中のへその緒のための再使用可能な下着の適合に関する。
【背景技術】
【０００２】
発明の背景
保護下着の流体および糞便の封じ込めの特性を改良するため、Fredrica Coatesに発行された米国特許第５，１３７，５２６号および第５，４０９，４７６号は、その前端および後端が接続片を通じて外側のシェルに接する防水性または耐水性のスリングを有する保護下着を説明している。このスリングは、スリングまたはスリングの両側に取付けられた防水性のまちの外周縁に弾性材料を実現することによって、体液がシェルの外側の領域に広がるのを防ぐ。さらに流体を封じ込める必要はあるが、弾性をもたされ、かつまちをつけられたスリングの設計は有効である。
【０００３】
改善点として、Fredrica Coatesに発行された米国特許第５，７２２，１２７号では、より深いポケットを形成し、かつ下着を着用者に保持するための調節可能性が大きいファスナを実現するようにスリングは改良されている。しかしながら、フィット感が改善され、より深いインナーポケット付きスリングを備えてはいるが、依然として流体および糞便の封じ込めのためのより大きな周囲面積が必要である。’１２７号特許では、流体吸水パッドを保持するためのポケット付きスリングがさらに開示されており、１９９７年１月３１日に出願されたCoateの出願連続番号第０８／７９２，７３５号は、周囲面積および流体の吸収の改良のために接続前部片に付加された前部隠しポケットを開示している。
【０００４】
２００１年２月２６日に出願されたCoatesの出願連続番号第０９／７９１，７７３号に開示されるさらに別の改善は、その長手方向で折り曲げられたＳ字形のスリングを実現しており、３層の材料を提供し、流体吸水パッドの一端を保持するためのポケットを確保し、この設計も流体の吸収のために周囲をさらに改良している。
【０００５】
多くの変形例が体液および糞便を保持するための構造としてさまざまな下着で使用され、おむつ業界における劇的な改善とみなされているが、「Ｓ字形スリング」は、洗濯中、特に回転式乾燥機での乾燥中にもつれる傾向がある。Ｓ字形スリングの長手方向の端部は、ウエストの近くで下着の前部および後部部分に取付けられ、前部および後部部分でのみ取付けられていた。Ｓ字形スリングの残りの部分は「浮いていた」。この浮きの動きがＳ字形スリングとその外側のシェルとの間に大きすぎる空間を有する傾向があり、この製品は乾燥機での乾燥中に裏返しにねじれていた。Ｓ字形スリングの別の特徴は、吸水パッドがそこに含まれている状態でＳ字形スリングの重さのために下着の前部部分がウエストでわずかに折れる傾向がある点である。下着の前部でのこの折れは、下着の着用時およびそれが検査のために取扱われる時に幾分きちんとしていない外観を与えていた。
【０００６】
Coateの技術のさらに別の局面は、ピンを使用せずに下着を着用者に解放可能に固定するためのフィラメント状のフックおよびループファスナの実現にある。ファスナ技術についての一連の特許の１つである、Coateの米国特許第４，５３７，５９１号では、相補的なフィラメント状の材料のカバー帯に面するように、フィラメント状タイプのファスナがタブとして構成される。洗濯中、タブおよびカバーの構造は、相補的なカバーが糸くずの
蓄積からタブを保護するように自然に閉じる傾向を示し、有利である。Coateの米国特許第４，６８０，０３０号および第４，６８１，５８１号は、Coateの貢献による他の自然に閉じるファスナの例である。米国特許第５，１３７，５２６号および第５，４０９，４７６号は、タブおよびカバーは自然に閉じないが、アセンブリの製造を容易かつ経済的にする構造的な特性を有する変形例を説明している。さらに経済的でかつ着用者にとって外観がやわらかいタブ構造が依然として必要とされている。なぜなら、再使用可能な下着では、常にそれを体に近づけ、かさばらないようにし、かつできるだけ柔らかくすることによってフィット感を改善する必要があるからである。Coateの特許に見られるさらに別の特徴は、新生児のへその緒を収容する下着のための適合である。米国特許第５，７０７，３６４号では、弾性をもたされた凹状の部分、新生児のへその緒にフィットするように適合する下着の前部部分が初めて見られる。米国特許第６，２５４，５８３号では、さらにぴったりと合う形のへその緒のための切り抜いたノッチが現われている。
【０００７】
再び米国特許第Ｄ４５２，３１５５号では、へそのためのギャザー付きの開口部が示され、あつらえたようにフィット感が向上されている。この技術には、新生児のへその緒のための開口部に弾性を与え、かつ下着の製造業者にとって手が届くようにするための経済的な方法が欠けていた。材料片の新しいアセンブリは、新生児の回復中のへその緒のための繊細かつ小さな構造の性能を向上し、低コストでこの下着を製造するために組立時間を低減している。
【発明の開示】
【発明が解決しようとする課題】
【０００８】
この開示の利点は、浮いたスリングの構造の改善にあり、洗濯中のもつれが排除され、下着の外観が改良される。外観はウエストでの歪みまたはしわを排除することによって改善される。別の利点は、容易かつ経済的に製造される自然に閉じる下着のファスナにある。さらに別の利点は、へその緒の開口部のフィット感および性能を改善しつつ、製造手順のコストを低減することである。さらに別の改善は、再利用可能な下着のための閉じるものに適用される柔らかさの必要性を満たすことにある。
【発明を実施するための最良の形態】
【０００９】
実施例の詳細な説明
図１は、例示的な下着、この例ではおむつ１０を示し、着用者の臀部およびウエストに合うようなサイズおよび形状の流体吸収性または耐流体性の材料であり得るおむつのシェル１４、および対応する形状の内側のライナーで構成される。ライナーは、中間セクションライナー５６のシームライン５２で接合された前部セクション４８を含む。ライナー５６は、５０で下着の後部セクションに接合され、これは終端後部片４６に接続する。ライナーは、後部弾性材料６６で外側のシェル１４に接続される。Ｓ字形ポケットスリング６２は、５６（後部セクション）で中央におかれ、接合ライン５０で終端片４６に封止される。Ｓ字形スリング６２は、弾性材料の新しい付属物、縫われたＵ字形の弾性材料６１を有し、これはＳ字形スリングの内側の空隙の開口部を囲む。Ｕ字形の弾性材料６１は、それが終了するときにシーム５０で囲まれ、つまり５０で封止される。弾性材料のＵ字形の付属物は着用者の恥骨によりはっきりとフィットする。シェル１４の両方の脚の穴の弾性材料６０は、ライナー５６および外側のシェル１４を包む役割をする。ライナー５６は、着用者の肌に直接接触し、１００％の毛羽立て加工のポリエステルなどの柔らかい材料であることが好ましい。この材料の裏側は防水性であってもよい。
【００１０】
それらの少なくとも１つがシェル１４の端部からずらされる縫い目５０および５２のラインに沿って内側のライナーに両端で接合されるＳ字形ポケットスリング６２の引張りによって体に強く保持される吸水パッド（図示せず）がＳ字形スリング６２内に配置される。ポケット付きＳ字形スリング自身の構成は、ここに引用により援用される米国特許第５
，４０９，４７６号、第５，１３７，５２６号、第５，７２５，５１８号、および２０００年２月２４日に出願された同時係属中の出願連続番号第０９／５１２，０８５号、および２００１年２月２６日に出願された連続番号第０９／７９１，７７３号に開示される１つまたは複数に類似であり、Ｓ字形ポケットはそれらに従って構成され、おむつの前端および後端で接続される。この構成は、ライン５０および５２でウエストの終端からスリングの端部をずらすことが、上述の特許および出願の下着の長さと比較して効果的なより短い長さのスリングを確保する点で、以前に開示されたものとは異なる。
【００１１】
Ｓ字形スリングの端部を付属物５０（後部）および５２（前部）の挿入ラインに固定することは、２つの有利な効果を有する。第１に、図１に示されるスリングは、おむつ内に保持され、ウエストの終端でスリングがおむつに接続される以前の設計での傾向であったように、おむつの残りに対して横揺れすることがなく、または逆になることがない。したがって、洗濯および乾燥中、スリングはおむつ内にある。第２に、スリングとライナーとの間の接触ラインにある負荷を負う領域はウエストからずらされるため、Ｓ字形スリングの重さによるライナーの引張りはウエストバンドの反りまたはしわに変換されない。このことは、おむつの着用時および取扱い時の両方におむつにきちんとした外観を与える。
【００１２】
シェル１４の前部部分には、おむつの後部部分の角にあるファスナタブ１９上のフィラメント状のフック材料３４を受取るフィラメント状の材料の帯４４が設けられる。フィラメント状のフック材料のこれら帯は、以前の特許および出願で説明されるように、おむつの着用時に、ループ状の材料である前部帯４４に結合する。図１の実施例の局面によると、各ファスナタブ１９は側縁２６および終端３８を有する。各タブ１９は台形の布地片で構成され、その基部はおむつの角に装着され、かつそこから延在している。ループ２４タイプのフィラメント状の材料の対応する台形片は、カバーとして機能し、図示のように内側の層またはライナー５６で内側で縫われ、その基部はタブ１９の基部に面し、かつ接触している。タブ１９の基部はおむつのシェル１４のシーム３０でおむつに接合されていることに特に注意されたい。このシーム３０は、図示のように弓形であり、これによってタブは、特に乾燥機で乾燥されるときに、シームの弓形の構成によって生じる力によって内側に偏る傾向があり、カバー片２４と接触する。フックタイプの帯３４とカバー２４とが互いに接触すると、タブおよびそのフィラメント状のフック材料３４は、糸くずおよび他の材料の汚染から保護される。
【００１３】
図２は、おむつ１０を示し、説明したように、シーム３０が弓形である結果として自然に起こるように、タブ１９は下にある保護カバー２４へと自然に閉じている。図２は、Ｕ字形の製造手順に示されるＳ字形スリング６２の弾性材料６１とともにライン５２で装着されるライナー５６の別の図も示す。脚の弾性材料６０は脚の穴に示される。フィラメント状ループ４４は下着１４の前部（下着の表面）に示される。下着の後部は、それが下着１０の最中心部分のＳ字形スリング６２を支持するシームでライナー４６の接合ライン５０に接続するときに弾性材料６６で仕上げられる。
【００１４】
図３Ａ〜図３Ｆは、タブがどのように構成されるかを示す。図３Ａでは、３６の外縁部分が外側に曲げられ、台形片の上部が３２で直線である、ほぼ台形の材料片１９がタブ１９を形成する。図３ｂでは、タブ１９はノッチ２８でまず半分に折り曲げられ、共通の縁４４はともに延在し、かつオーバーロックステッチ２２で接合され、次に共通の縁４４はオーバーロックステッチ２２によって覆われる。図３ｂの台形片は次に２６で折り曲げられ、オーバーロック縁２２はノッチ２８を中心として内側で伸ばされ、図３ｃに示されるようなタブ１９を形成する。上縁３２は、図３ｄに示される完成外縁３８で下方に折り曲げられる。次に図３ｅでは、フックのフィラメント状材料３４の帯が適用され、３２の端部およびシーム２２の一部を図３ｃに示されるように覆う。図３ｆの相当するループタイプのカバー２４は別に形成されるが、タブ１９に適合するサイズおよび形状である。特に
興味深いのは基部２５の形状であり、これはタブ１９の基部３６に適合する。
【００１５】
カバー２４の基部２５は弓形の形状を有し、（図３Ｅに示されるタブの裏側から見た）タブ１９のものに相補的である。基部２５および３６が接して、タブおよびカバーが一緒にされると、２つの構成要素は、図１に示される共通の弓形の接合３０に沿って互いに当接する。
【００１６】
図４および図５は、図１および図２に対応するが、タブおよびカバーが弓形ではなく直線の基部を有する構成を有する点が異なる。図４および図５のおむつ１２は、着用者の臀部およびウエストに適合した流体吸収性または耐流体性の材料であり得るおむつシェル１６、およびシェルの周囲にその周囲で接合される対応する形状のライナー１０６で構成される。ライナー１０６内には、付属物ライン１５０（下着の後部）および１５２（下着の前部部分）に沿ってその両端で内側のライナーに接合されるＳ字形スリング１６２がある。Ｓ字形スリングは、図１および図２に示されるものと同じであるが、これら２つの下着の違いはタブの構成に見られる。タブ９０はフック帯６４を保持する。このタブは、図１および図２のタブ構造の構成のようにループ状材料のカバー６７へと閉じるように構成されるが、接合ライン６５は真っ直ぐである。図４および図５では、おむつ１２は、おむつ１０に見られるのと同じ特性をすべて有するが、ライナー、中間セクションライナー１０６は後部の１５０で終端ライナー片９６に接合され、図５で弾性材料１６６によって覆われる。タブ９０は、図５で折り曲げられて閉じられたとき、６５にあるような真っ直ぐな縁の付属物によって作られるような真っ直ぐな縁を有する。タブ９０は、８８に終端部６８の折り曲げられた側を、外側のシェルの１６０に脚の弾性材料を、１６２にＳ字形ポケットスリングを有する。下着の前部では、シェルの布地１６の外側に取付けられたループ４４が見える。図４では、タブ１９のオーバーロックシームが８２に示される。
【００１７】
図６Ａ、図６Ｆは、図４および図５に示されるタブ９０およびカバー６７の製造のステップを示し、台形片９０は７０に下方の直線の縁を有し、外側の上縁９２を有し、台形片の両側は８４に示される。図６Ｂでは、ノッチ８９は、台形の重なる縁８４の折り曲げラインのための基準点の役割を果たし、オーバーロックステッチ８２によって覆われる。図６Ｃでは、オーバーロック縁８２はノッチ８９を中心として内側で伸ばされ、真っ直ぐな縁７０を形成する。折り曲げられた側８８は終端９２に延在し、これは６８で折り曲げられてタブの完成した終端を形成する。図６Ｄでは、内側に折り曲げられた未完成の端部９２が図６Ｅに示されるように覆われようとしている。図６Ｅでは、フック帯６４は、シーム８２を中心として縁９２の上に置かれ、シーム８２の大半を隠す。８８の側は柔らかい布地である。図６Ｆの直線の基部７０はループ片６７の直線の基部６５と接合しようとしている。図４を再び参照すると、ループ片６７は、タブ９０が閉じるのを支援するステッチライン６９で仕上げられる。したがって、６９の縫い目は、弓形でない縁が自然に閉じるのを支援する。
【００１８】
図７は、新生児のへその緒を収容するために下着の前部に新しい開口部を組込んだ構成の保護下着の変形例である。下着２００は、赤ん坊に位置付けられたときに、回復中のへそを囲むが、それに触れない開口部を９１に有する。切取り９１は、新生児のへその緒が回復するために空気の循環が可能となるように十分な空間を有するが、下着２００の中央の空隙からの漏れを可能にするほど大きすぎない空間を有するように、弓形でかつ十分に深く窪んでいる。オーバーロックステッチされた縁９６によって、下着の終端前部縁はこぎれいでかつ低コストで仕上げられるが、最も重要な特徴は、弾性材料９８の端部、または弾性またはストレッチ特性を備えた縁飾りを取除くことである。弾性をもたされた材料は、開口部９１の必要な場所でのみ下着の内側への折れを強化する。赤ん坊の腹部を刺激する弾性材料の仕上げをしていない端部がないことが重要であり、したがって、弾性材料はオーバーロック切断およびステッチのプロセス９６によって取除かれることが必要であ
る。オーバーロックステッチ９６は、柔らかいウーリーナイロン糸であるべきである。ループ帯９４は、タブ１９が係合するときに新生児の小さな形に適合するのを支援するように傾く。図１の帯４４に対応する前部の帯９４は、へその開口部９１に従うように、図示のように分割され、傾けられる。脚の弾性材料１０８は、図１の脚の弾性材料６０に対応する。
【図面の簡単な説明】
【００１９】
【図１】一実施例によるおむつの斜視図であり、改善されたスリングおよび下着の構成、ならびに自然に閉じる新しいファスナタブおよびカバーを示す。
【図２】下着およびスリングの内面を露出する上面図からの実施例の図である。
【図３Ａ】図１および図２に示されるファスナカバーの製造のステップの図である。
【図３Ｂ】図１および図２に示されるファスナカバーの製造のステップの図である。
【図３Ｃ】図１および図２に示されるファスナカバーの製造のステップの図である。
【図３Ｄ】図１および図２に示されるファスナカバーの製造のステップの図である。
【図３Ｅ】図１および図２に示されるファスナカバーの製造のステップの図である。
【図３Ｆ】図１および図２に示されるファスナカバーの製造のステップの図である。
【図４】変形されたファスナを備えた下着の別の実施例の図である。
【図５】図４の下着およびスリングの内面を示す図である。
【図６Ａ】図５に示されるファスナの製造のステップの図である。
【図６Ｂ】図５に示されるファスナの製造のステップの図である。
【図６Ｃ】図５に示されるファスナの製造のステップの図である。
【図６Ｄ】図５に示されるファスナの製造のステップの図である。
【図６Ｅ】図５に示されるファスナの製造のステップの図である。
【図６Ｆ】図５に示されるファスナの製造のステップの図である。
【図７】新生児のためのおむつのへその開口部を有する変形例の図である。
【図１】
2006515793.tif 000003
【図２】
2006515793.tif 000004
2006515793.tif 000005
【図４】
2006515793.tif 000006
【図５】
2006515793.tif 000007
2006515793.tif 000008
【図７】
2006515793.tif 000009
【国際調査報告】
2006515793.tif 000010
2006515793.tif 000011